(57)【要約】      （修正有）【課題】パーゴラ利用するときの日射受熱量・放射熱を効果的に減らし日陰環境を向上させるとともに、日除け資材不要のため少ないメンテナンスで長期間使用できる日除け専用アルミルーバーパーゴラを提供する。【解決手段】日陰を増やし日射を防ぐ休憩場所として使用することができる日除け専用アルミルーバーパーゴラであって、所定間隔で斜めに設置したルーバー１に沿って鍔６を設置することによって日陰の規模を広く大きく形成し、地表面の日射を遮り地面を温まりにくくする。パーゴラは、アルミ押出形材を使用し、内角１３５°に折り曲げたくの字型鋼材ルーバー固定具７を２００ｍｍピッチで梁２の上に配し、ルーバーの溝にボルト先端を通し、ボルトとルーバー固定具を緊結し支える。【選択図】図４
0003193202.tif 000002
【実用新案登録請求の範囲】
【請求項１】
日陰を増やし日射を防ぐ休憩場所として使用することができる日除け専用アルミルーバーパーゴラであって、高耐久性アルミ押出形材を使用したルーバーを所定間隔で斜めに設置しルーバーに沿って鍔を付けることで、日陰の規模を広く大きく形成し、地表面の日射を遮り地面を温まりにくくするため温度上昇抑制でき、日射受熱量、路面・土面からの放射熱を効果的に減らし日陰を維持できることを特徴とする日除け専用アルミルーバーパーゴラ。
【請求項２】
前記ルーバーは、植物やよしずといった日除け資材を活用しなくても日除け効果の高さを維持し、熱がこもりにくく風通しが良い熱環境改善効果を向上させることができることを特徴とした請求項１記載の日除け専用アルミルーバーパーゴラ。
【請求項３】
前記ルーバーは、高耐久性で耐食性も良く日除け資材が不要のため維持管理が容易なことを特徴とした請求項１、２記載の日除け専用アルミルーバーパーゴラ。
【請求項４】
前記ルーバーは、パーゴラ状の構造物本体を構成し長期間設置利用可能なことを特徴とした請求項１、２、３記載の日除け専用アルミルーバーパーゴラ。
【考案の詳細な説明】
【技術分野】
【０００１】  本考案は、公園・学校・マンション・遊歩道沿いの休息地点に設置され日陰を増やし日射を防ぐ休憩場所として使用することができる日除け専用アルミルーバーパーゴラに関するものである。
【背景技術】
【０００２】  従来のパーゴラは、支柱の上端に格子状に組み立てられたものや一定の間隔をおいて立設された柱間に掛け渡された２列の大梁の上面に多数の太幅ルーバーが平行状態に並べて取り付けられた屋根状の形態のものがある。（例えば特許文献１参照）。「ヒートアイランド対策ガイドライン」では世界の平均気温は、ここ１００年で約０．７℃上昇しており、東京の平均気温はこの１００年あたりで約３℃上昇しており、特に夏季の気温上昇が都市生活の快適性を低下させるとして問題となっている。都市部では建物や道路が太陽の熱などにより、熱せられ、周辺大気に放出されヒートアイランドの一因となっている。また、地面からの輻射熱が大きく、日射などを遮るものが少ないので、子供や作業者の体感温度はさらに高くなるといった熱的快適性問題がある。【０００３】  一般的な格子・平行状ルーバーは日光や風通し良く構成されているため、日陰面積が少ない状態となっており、日射遮蔽が少なく、日除け効果を充分に発揮できないといった欠点がある。【０００４】  また、パーゴラ上部が藤棚となっており設置と同時に藤の植樹を行ってもパーゴラ上部の藤かずらが棚を覆うまでに数年かかる、巻きつきが悪く育ち切れずに日除け効果を発揮するまでに時間がかかる、風通しがよくない、風雨と日差しにさらされるので痛みやすく環境維持・管理に手間がかかるという欠点がある。【０００５】  さらには、藤棚が育つまでの期間、よしず・網・割竹といった被覆面材をパーゴラの上の支持板と押え板とではさみ止具で固定し日陰を作り出すものがある。（例えば特許文献２参照）。しかし、日除け資材を活用しなくてはならない、通常のパーゴライメージが残らないといった欠点がある。
【先行技術文献】
【特許文献】
【０００６】
【特許文献１】登録実用新案第２５３１４１２号
【特許文献２】登録実用新案第３０５１６５４号
【考案の概要】
【考案が解決しようとする課題】
【０００７】  解決しようとする問題点は、従来のパーゴラを使用するときの日除け効果を向上させるとともに、植物やよしずの日除け資材を活用しなくても、日除け効果の高さを維持できることにある。【０００８】  さらに、ルーバー間の隙間が確保された通常のパーゴライメージを残しているため外観上に優れており、熱がこもりにくく風通しが良い維持管理も容易な日除け専用アルミルーバーパーゴラを提供しようとするものである。
【課題を解決するための手段】
【０００９】  本考案は、公園・学校・マンション・遊歩道沿いの休息地点に設置され日陰を増やし日射を防ぐ休憩場所として使用することができる日除け専用アルミルーバーパーゴラであって、所定間隔で斜めに設置したルーバーに沿って鍔を付けることで、日陰の規模を広く大きく形成することができ、地表面の日射が遮られるため、地面が温まりにくく温度上昇が抑制され、日射受熱量、路面・土面からの放射熱を効果的に減らし、多くの日陰面積を維持できることを特徴とする。【００１０】  植物やよしずといった日除け資材を活用しなくても、熱がこもりにくく風通しが良いため、熱環境改善効果を向上させることができることを特徴とする。【００１１】  通常のパーゴライメージを残したすっきりとした外観デザインであると共に、高耐久性のアルミ押出形材を使用したルーバーは、高強度で耐食性も良いため、少ないメンテナンスで長期間設置利用できることを特徴とする。【００１２】  効率よく日陰ができるように、パーゴラ本体の正面方向を南向きに設置することが望ましい。【００１３】  使用後によるメンテナンスは、定期的に落ち葉や泥を取り除くことが望ましい。
【考案の効果】
【００１４】  以上を説明したように本考案によれば、パーゴラはルーバーの隙間が確保された熱がこもりにくく風通しが良い従来の外観デザインであると共に、ルーバーに沿って鍔につけたことで植物やよしずといった日除け資材を活用しなくても、影の規模を広く大きく形成し、日陰面積増やすことにより地表面の日射が遮られ、地面が温まりにくく温度上昇が抑制されるため、日除け効果の高さを維持、耐候性・耐食性に優れた高耐久性、少ないメンテナンスで長期間設置利用可能な日除け専用アルミルーバーパーゴラを提供できるという利点がある。
【図面の簡単な説明】
【００１５】
【図１】設置した状態の立面図
【図２】設置した状態の側面図
【図３】設置した状態の平面図
【図４】要部を拡大して示す立面詳細図
【図５】要部を拡大して示す側面詳細図
【考案を実施するための形態】
【００１６】  以下、この考案の実施の形態について図面を参照して説明する。図１、２、３は日除け専用アルミルーバーパーゴラを設置した状態の立面図、側面図、平面図、図４、５はルーバー要部を拡大して示す立面及び側面詳細図を示してある。
【００１７】  図１、２、３、４、５で示すようにルーバー１、日除け鍔６はアルミ押出形材を使用し、ルーバー１、日除け鍔６、桁２、柱３で構成されている。
【００１８】  図１、２で示すように地盤面ＧＬ下の地中は、ベースプレート４、アンカーボルト５、基礎コンクリートＣ１、基礎鉄筋Ｃ２、捨てコンクリートＣ３、基礎砕石Ｃ４で形成されている。
【００１９】  図４、５で示すルーバー１は日除け鍔６が形成されているため、影の規模が広く大きくなり日陰面積が増えることにより、地表面の日射が遮られるため地面が温まりにくく温度上昇抑制され、日射受熱量を減らし日除け効果の高さ・快適性を維持、路面・土面からの放射熱を効果的に減らすことを可能とする。
【００２０】  図１、２で示すように、通常のパーゴライメージを残した熱がこもりにくく風通しが良いすっきりとした外観デザインであり、高耐久性で耐食性も良いため、少ないメンテナンスで長期間設置利用できる。
【符号の説明】
【００２１】１    ルーバー
２    桁
３    柱
４    ベースプレート
５    アンカーボルト
６    日除け鍔
７    ルーバー固定金具
Ｃ１  基礎コンクリート
Ｃ２  基礎鉄筋
Ｃ３  捨てコンクリート
Ｃ４  基礎砕石
ＧＬ  地盤面
【図１】
0003193202.tif 000003
【図２】
0003193202.tif 000004
【図３】
0003193202.tif 000005
【図４】
0003193202.tif 000006
【図５】
0003193202.tif 000007
【手続補正書】
【提出日】平成26年7月1日(2014.7.1)
【手続補正１】
【補正対象書類名】実用新案登録請求の範囲
【補正対象項目名】全文
【補正方法】変更
【補正の内容】
【実用新案登録請求の範囲】
【請求項１】
日陰を増やし日射を防ぐ休憩場所として使用することができる日除け専用アルミルーバーパーゴラであって、ルーバーを所定間隔で斜めに設置しルーバーに沿って鍔を付けることで、日陰の規模を広く大きく形成し、地表面の日射を遮り地面を温まりにくくするため温度上昇抑制でき、日射受熱量、路面・土面からの放射熱を効果的に減らし日陰を維持できることを特徴とする日除け専用アルミルーバーパーゴラ。
【請求項２】
パーゴラは、アルミ押出形材を使用し、内角１３５°に折り曲げたくの字型鋼材ルーバー固定具を２００ｍｍピッチで梁の上に配し、ルーバーの溝にボルト先端を通し、ボルトとルーバー固定具を緊結し支えていることを特徴とする請求項１記載の日除け専用アルミルーバーパーゴラ。